(57)【要約】【課題】履歴消去性能を向上させることができる電気泳動表示装置の駆動方法及び電気泳動表示装置を提供すること。【解決手段】消去駆動ステップと、現画像を消去した後に、次画像を階調表示する階調表示駆動ステップと、を具備し、消去駆動ステップにおいて、一方の極限色表示状態から他方の極限色表示状態へ切り替える極性の電圧（Ｖ１）を印加した時に表示色変化が１０％完了するのに要する時間をＴ１とし、消去パルスは、電圧（Ｖ１）と時間（Ｔ１）の積に相当する電圧時間積分値（Ｅ１）よりも大きな電圧時間積分値を有することを特徴とする電気泳動表示装置及びその駆動方法とする。【選択図】図４
2015082041.tif 000002
【特許請求の範囲】
【請求項１】
少なくとも一方が光透過性を有する一対の基板と、
一方の前記基板の基板面にマトリクス状に配置された複数の画素電極と、
他方の前記基板の基板面に前記複数の画素電極に対向して配置された共通電極と、
前記基板間に封入され、１又は２種類以上の電気泳動粒子が分散された電気泳動表示インクと、
前記画素電極が行毎に接続された複数のデータ線に対して個別に画素信号を供給する第１の駆動回路と、
前記複数のデータ線上に夫々設けられ、オン状態において当該データ線に供給される前記画素信号を対応する前記画素電極に印加する複数のスイッチと、
前記スイッチが列毎に接続された複数の走査線に、前記スイッチをオン状態にする走査信号を供給する第２の駆動回路と、
前記各画素電極と前記共通電極との間にそれぞれ並列に接続された複数の保持容量と、
を具備した電気泳動表示装置の駆動方法であって、
前記画素電極と前記共通電極との間に消去パルスを印加して前記電気泳動表示装置に階調表示されている現画像を消去する消去駆動ステップと、
前記現画像を消去した後に、前記画素電極と前記共通電極との間に書込みパルスを印加して次画像を階調表示する階調表示駆動ステップと、を具備し、
前記消去駆動ステップにおいて、
一方の極限色表示状態から他方の極限色表示状態へ切り替える極性の電圧Ｖ１（絶対値）を印加した時に表示色変化が１０％完了するのに要する時間をＴ１とし、前記消去パルスは、１つ又は複数の残像消去パルスで構成され、電圧Ｖ１と時間Ｔ１による電圧時間積分値Ｅ１よりも大きな電圧時間積分値を有することを特徴とする電気泳動表示装置の駆動方法。
【請求項２】
前記消去駆動ステップにおいて、
前記消去パルスは、１つ又は複数の残像消去パルスで構成され、表示色変化が９５％完了するのに要する極限色表示時間をＴ２として、電圧Ｖ１と時間Ｔ２による電圧時間積分値の３倍に相当する電圧時間積分値Ｅ２よりも小さな電圧時間積分値を有することを特徴とする請求項１記載の電気泳動表示装置の駆動方法。
【請求項３】
前記消去駆動ステップにおいて、
前記残像消去パルスを、電圧の極性を変えて印加することを特徴とする請求項１又は請求項２記載の電気泳動表示装置の駆動方法。
【請求項４】
前記消去パルスは、１つの残像消去パルスからなり、前記残像消去パルスは、全走査線を同時に選択して一括で印加することを特徴とする請求項１から請求項３のいずれかに記載の電気泳動表示装置の駆動方法。
【請求項５】
前記消去パルスは、休止期間を挟んで分割された複数の残像消去パルスからなり、前記各残像消去パルスは、全走査線を同時に選択して一括で印加することを特徴とする請求項１から請求項３のいずれかに記載の電気泳動表示装置の駆動方法。
【請求項６】
前記消去パルスは、休止期間を挟んで分割された複数の残像消去パルスからなり、前記各残像消去パルスは、走査線を順次選択するスキャン方式により印加され、前記休止期間はスキャン間隔以上となることを特徴とする請求項１から請求項３のいずれかに記載の電気泳動表示装置の駆動方法。
【請求項７】
前記残像消去パルスを印加しない休止時間において各電気泳動表示インクの静電容量及び各画素に付随している前記保持容量によって前記電気泳動表示インクに印加される電圧の時間積分値を加味して前記残像消去パルスを構成することを特徴とする請求項５又は請求項６記載の電気泳動表示装置の駆動方法。
【請求項８】
現画像を閾値階調で分けて二値化し、いずれかの極限色に近い方の二値化画像に対するネガ画像に基づいた消去パルスをはじめに印加することを特徴とする請求項１から請求項７のいずれかに記載の電気泳動表示装置の駆動方法。
【請求項９】
少なくとも一方が光透過性を有する一対の基板と、
一方の前記基板の基板面にマトリクス状に配置された複数の画素電極と、
他方の前記基板の基板面に前記複数の画素電極に対向して配置された共通電極と、
前記基板間に封入され、１又は２種類以上の電気泳動粒子が分散された電気泳動表示インクと、
前記画素電極が行毎に接続された複数のデータ線に対して個別に画素信号を供給する第１の駆動回路と、
前記複数のデータ線上に夫々設けられ、オン状態において当該データ線に供給される前記画素信号を対応する前記画素電極に印加する複数のスイッチと、
前記スイッチが列毎に接続された複数の走査線に、前記スイッチをオン状態にする走査信号を供給する第２の駆動回路と、
前記各画素電極と前記共通電極との間にそれぞれ並列に接続された複数の保持容量と、
を具備し、
前記画素電極と前記共通電極との間に消去パルスが印加されて前記電気泳動表示装置に階調表示されている現画像が消去され、前記現画像が消去された後に、前記画素電極と前記共通電極との間に書込みパルスが印加されて次画像が階調表示されるものであり、
前記消去パルスは、１つ又は複数の残像消去パルスで構成され、
一方の極限色表示状態から他方の極限色表示状態へ切り替える極性の電圧Ｖ１が印加された時に表示色変化が１０％完了するのに要する時間をＴ１としたときに、前記消去パルスは、電圧Ｖ１と時間Ｔ１による電圧時間積分値Ｅ１よりも大きな電圧時間積分値を有することを特徴とする電気泳動表示装置。
【発明の詳細な説明】
【技術分野】
【０００１】
本発明は、電界等の作用により可逆的に視認状態を変化させる電気泳動表示装置の駆動方法及び電気泳動表示装置に関する。
【背景技術】
【０００２】
電子ペーパーに適した表示装置として、電気泳動表示インクにより画像を形成する電気泳動表示装置が知られている。一般的な電気泳動表示装置は、表示画素がマトリクス状に配置され、各表示画素に電気泳動表示インクが封入されると共に一対の電極が設けられる。データ線駆動回路からデータ線及びＴＦＴを介して各表示画素の一方の電極（画素電極）に画素信号を供給し、各表示画素の電気泳動表示インクに画素信号（駆動電圧）が印加されるように走査線駆動回路から各表示画素（画素電極）のＴＦＴに走査線を介して走査信号を供給する。走査信号は矩形波の電圧からなる信号（パルス信号）であり、各走査線はパルス幅の期間だけＴＦＴをオンして画素電極に画素信号が印加される。走査線が選択されている間（ＴＦＴオン期間）に、各表示画素には画素電極と共通電極の電位差が駆動電圧として印加される。
【０００３】
たとえば、特許文献１には、表示変更動作として、まず消去ステップが行われ、その後、書き込みステップが行われる駆動方法が記載されている。特許文献１の駆動方法では、消去ステップにおいて、電圧＋Ｖ１（第１の電圧）と同極性の電圧＋Ｖ２（第２の電圧）が印加される。まず共通電極および画素電極に対して、電圧＋Ｖ１が時間Ｔ１印加され、次いで、電圧＋Ｖ１よりも小さく電圧＋Ｖ１と同極性の電圧＋Ｖ２が時間Ｔ２印加される。そして、時間Ｔ１印加される電圧＋Ｖ１および時間Ｔ２印加される電圧＋Ｖ２を一単位とし、この一単位がＮ１回印加される構成となっている。
【０００４】
また特許文献２には、キックバック現象の発生を極力抑えてコントラストの低下を抑えると共に、帯電粒子の凝集を極力抑えて表示品質の低下を抑えることが可能な電気泳動表示装置に関する発明が開示されている。
【先行技術文献】
【特許文献】
【０００５】
【特許文献１】特開２００９−４７７４５号公報
【特許文献２】特開２０１３−１５７７６号公報
【発明の概要】
【発明が解決しようとする課題】
【０００６】
ところで、電子ペーパーの書換えを実施しない期間において、表示側・背面側の両電極近傍に存在する粒子が電極に固着し、粒子の凝集が進行することが知られている。この固着度合いは階調レベルによって異なり、中間階調よりも極限色に近い画素ほど顕著となる。
【０００７】
このとき階調レベルごとに固着度合いが異なるため、次画像に書き換えた際に現画像がうっすらと次画像に映り込む残像現象が発生することがある。電極と粒子が直接接触するマイクロセル方式の電気泳動パネルでは固着力がその他方式と比べて大きいため、残像現像の発生が顕著である。
【０００８】
本発明は、このような問題点に鑑みてなされたものであり、現画像の残像を効果的に消去でき、履歴消去性能を向上させることができる電気泳動表示装置の駆動方法及び電気泳動表示装置を提供することを目的とする。
【課題を解決するための手段】
【０００９】
本発明の電気泳動表示装置の駆動方法は、少なくとも一方が光透過性を有する一対の基板と、一方の前記基板の基板面にマトリクス状に配置された複数の画素電極と、他方の前記基板の基板面に前記複数の画素電極に対向して配置された共通電極と、前記基板間に封入され、１又は２種類以上の電気泳動粒子が分散された電気泳動表示インクと、前記画素電極が行毎に接続された複数のデータ線に対して個別に画素信号を供給する第１の駆動回路と、前記複数のデータ線上に夫々設けられ、オン状態において当該データ線に供給される前記画素信号を対応する前記画素電極に印加する複数のスイッチと、前記スイッチが列毎に接続された複数の走査線に、前記スイッチをオン状態にする走査信号を供給する第２の駆動回路と、前記各画素電極と前記共通電極との間にそれぞれ並列に接続された複数の保持容量と、を具備した電気泳動表示装置の駆動方法であって、前記画素電極と前記共通電極との間に消去パルスを印加して前記電気泳動表示装置に階調表示されている現画像を消去する消去駆動ステップと、前記現画像を消去した後に、前記画素電極と前記共通電極との間に書込みパルスを印加して次画像を階調表示する階調表示駆動ステップと、を具備し、前記消去駆動ステップにおいて、一方の極限色表示状態から他方の極限色表示状態へ切り替える極性の電圧Ｖ１を印加した時に表示色変化が１０％完了するのに要する時間をＴ１とし、前記消去パルスは、１つ又は複数の残像消去パルスで構成され、電圧Ｖ１と時間Ｔ１による電圧時間積分値Ｅ１よりも大きな電圧時間積分値を有することを特徴とする。
【００１０】
この構成によれば、複数の電気泳動粒子が反対側電極に到達し、このとき反対側電極に固着している電気泳動粒子に衝突してほぐす効果が発現される。この消去駆動の実施により次画像に対する現画像の映り込みを抑制でき、表示性能を向上させることが可能となる。
【００１１】
上記電気泳動表示装置の駆動方法では、前記消去駆動ステップにおいて、前記消去パルスは、１つ又は複数の残像消去パルスで構成され、表示色変化が９５％完了するのに要する極限色表示時間をＴ２として、電圧Ｖ１と時間Ｔ２による電圧時間積分値の３倍に相当する電圧時間積分値Ｅ２よりも小さな電圧時間積分値を有することが好ましい。上記電気泳動表示装置の駆動方法では、前記消去駆動ステップにおいて、前記残像消去パルスを、電圧の極性を変えて印加してもよい。
【００１２】
上記電気泳動表示装置の駆動方法において、前記消去パルスは、１つの残像消去パルスからなり、前記残像消去パルスは、全走査線を同時に選択して一括で印加してもよい。
【００１３】
上記電気泳動表示装置の駆動方法において、前記消去パルスは、休止期間を挟んで分割された複数の残像消去パルスからなり、前記各残像消去パルスは、全走査線を同時に選択して一括で印加してもよい。
【００１４】
上記電気泳動表示装置の駆動方法において、前記消去パルスは、休止期間を挟んで分割された複数の残像消去パルスからなり、前記各残像消去パルスは、走査線を順次選択するスキャン方式により印加され、前記休止期間はスキャン間隔以上となる構成にできる。
【００１５】
上記電気泳動表示装置の駆動方法において、前記残像消去パルスを印加しない休止時間において各電気泳動表示インクの静電容量及び各画素に付随している前記保持容量によって前記電気泳動表示インクに印加される電圧の時間積分値を加味して前記残像消去パルスを構成することができる。
【００１６】
上記電気泳動表示装置の駆動方法において、現画像を閾値階調で分けて二値化し、いずれかの極限色に近い方の二値化画像に対するネガ画像に基づいた消去パルスをはじめに印加することが好ましい。
【００１７】
本発明の電気泳動表示装置は、少なくとも一方が光透過性を有する一対の基板と、一方の前記基板の基板面にマトリクス状に配置された複数の画素電極と、他方の前記基板の基板面に前記複数の画素電極に対向して配置された共通電極と、前記基板間に封入され、１又は２種類以上の電気泳動粒子が分散された電気泳動表示インクと、前記画素電極が行毎に接続された複数のデータ線に対して個別に画素信号を供給する第１の駆動回路と、前記複数のデータ線上に夫々設けられ、オン状態において当該データ線に供給される前記画素信号を対応する前記画素電極に印加する複数のスイッチと、前記スイッチが列毎に接続された複数の走査線に、前記スイッチをオン状態にする走査信号を供給する第２の駆動回路と、前記各画素電極と前記共通電極との間にそれぞれ並列に接続された複数の保持容量と、を具備し、前記画素電極と前記共通電極との間に消去パルスが印加されて前記電気泳動表示装置に階調表示されている現画像が消去され、前記現画像が消去された後に、前記画素電極と前記共通電極との間に書込みパルスが印加されて次画像が階調表示されるものであり、前記消去パルスは、１つ又は複数の残像消去パルスで構成され、一方の極限色表示状態から他方の極限色表示状態へ切り替える極性の電圧Ｖ１が印加された時に表示色変化が１０％完了するのに要する時間をＴ１としたときに、前記消去パルスは、電圧Ｖ１と時間Ｔ１による電圧時間積分値Ｅ１よりも大きな電圧時間積分値を有することを特徴とする。
【発明の効果】
【００１８】
本発明によれば、次画像に対する現画像の映り込みを抑制して表示性能を向上させることが可能な電気泳動表示装置の駆動方法及び電気泳動表示装置を提供できる。
【図面の簡単な説明】
【００１９】
【図１】本実施の形態に係る電気泳動表示装置の全体構成図である。
【図２】上記電気泳動表示装置における画素の電気的な構成を示す回路図である。
【図３】上記電気泳動表示装置における表示部の部分断面図である。
【図４】電圧時間積分値を持つ消去パルス（一つの残像消去パルス又は複数の残像消去パルスからなる）の最小パルスと最大パルスを説明するための概念図である。
【図５】消去パルスの電圧の極性を交互に変えて印加した状態を示す説明図である。
【図６】消去パルスが、休止時間を挟んで分割された複数の残像消去パルスからなる状態を説明するための説明図である。
【図７】電圧印加時間と表示色変化の割合との関係を示すグラフである。
【図８】全走査線を同時に選択して、一つの残像消去パルスからなる消去パルスを一括で印加した状態を説明するための説明図である。
【図９】全走査線を同時に選択して、複数の残像消去パルスからなる消去パルスを一括で印加した状態を説明するための説明図である。
【図１０】走査線を順次選択してスキャン方式により、一つの残像消去パルスからなる消去パルスを印加した状態を説明するための説明図である。
【図１１】走査線を順次選択してスキャン方式により、複数の残像消去パルスからなる消去パルスを印加した状態を説明するための説明図である。
【図１２】上記電気泳動表示装置における全走査線同時選択によるパルス方式によるコモン振りを用いた全画素同一表示駆動ステップの説明図である。
【図１３】上記電気泳動表示装置における順次階調駆動方式を用いた階調表示駆動ステップの説明図である。
【発明を実施するための形態】
【００２０】
以下、本発明の実施の形態について添付図面を参照して詳細に説明する。図１は、本発明の実施の形態に係る電気泳動表示装置の全体構成図である。図１に示すように、この電気泳動表示装置１は、マトリクス状に表示画素が配置された表示部２と、表示部２に画素信号を供給するデータ線駆動回路３と、表示部２に矩形波のパルス信号からなる走査信号を供給する走査線駆動回路４と、表示部２の各表示画素に共通電位を与える共通電位供給回路５と、装置全体の動作を制御するコントローラ６と、を備えて構成される。
【００２１】
コントローラ６は、データ線駆動回路３、走査線駆動回路４及び共通電位供給回路５を制御することで、現画像を残像現象が起きないように消去する消去駆動ステップと、全画素を同一の表示状態（全白又は全黒）にする全画素同一表示駆動ステップと、表示したい次画像を階調画表示させる階調表示駆動ステップと、を１画像表示する度に実行する。後述するように、消去駆動ステップ、全画素同一表示駆動ステップ及び階調表示駆動ステップは、データ線駆動回路３から供給される画素信号、走査線駆動回路４から供給される走査信号、共通電位供給回路５から供給される電圧の組み合わせによって実現される。
【００２２】
表示部２には、データ線駆動回路３から列方向（Ｙ方向）に並列に伸びるｎ本のデータ線Ｘ１からＸｎが延在するとともに、これらのデータ線と交差して走査線駆動回路４から行方向（Ｘ方向）に並列に伸びるｍ本の走査線Ｙ１からＹｍが延在している。表示部２において、データ線（Ｘ１，Ｘ２，…Ｘｎ）と、走査線（Ｙ１，Ｙ２，…Ｙｍ）とが交差する各交差部に表示画素２０がそれぞれ形成されている。このように、表示部２には、ｎ行ｍ列のマトリクス状に複数の表示画素２０が配置されている。
【００２３】
データ線駆動回路３は、コントローラ６から供給されるタイミング信号に基づいて、各データ線（Ｘ１，Ｘ２，…Ｘｎ）に画素信号を供給する。データ線駆動回路３は、高電位Ｖａ（例えば、１５Ｖ）、低電位Ｖｂ（例えば、−１５Ｖ）、ＶａとＶｂの中間電圧であるＶｍｉｄ（例えば、０Ｖ）の３つの電位、およびハイインピーダンス状態を選択可能に構成されている。
【００２４】
走査線駆動回路４は、コントローラ６から供給されるタイミング信号に基づいて、各走査線（Ｙ１，Ｙ２，…Ｙｍ）に任意のパルス幅の走査信号を同時に又は順番に供給する。これにより、駆動対象となる表示画素２０に対して、走査信号が供給される。走査信号によって駆動対象となる画素を選択するので、走査信号のことを選択信号と呼ぶこともできる。
【００２５】
表示部２を構成する各表示画素２０には、共通電位供給回路５から共通電位線１１を介して共通電位Ｖｃｏｍが印加される。共通電位供給回路５は、共通電位Ｖｃｏｍとして、高電位Ｖａ（例えば、１５Ｖ）、低電位Ｖｂ（例えば、−１５Ｖ）、ＶａとＶｂの中間電圧であるＶｍｉｄ（例えば、０Ｖ）の３つの電位、およびハイインピーダンス状態を選択可能に構成されている。すなわち、共通電位供給回路５は、データ線駆動回路３が画素信号として選択可能な３つの電圧Ｖａ，Ｖｂ，Ｖｍｉｎと同一電圧を選択可能に構成されている。
【００２６】
コントローラ６は、クロック信号、スタートパルス等のタイミング信号をデータ線駆動回路３、走査線駆動回路４及び共通電位供給回路５に供給して、各回路を制御する。例えば、コントローラ６は、消去駆動対象画素の階調データをデータ線駆動回路３または共通電位供給回路５に供給する。データ線駆動回路３または共通電位供給回路５は、階調データに応じて残像消去パルスの印加回数及び電圧値を決定し、走査線駆動回路４のフレーム走査（画素行選択）動作に同期して駆動対象画素に画素信号または共通電位を供給する。
【００２７】
図２は、表示画素２０の電気的な構成を示す等価回路図である。なお、表示部２にマトリクス状に配置された各表示画素２０は同一構成であるので、表示画素２０を構成する各部には共通の符号を付して説明する。
【００２８】
表示画素２０は、画素電極２１と、共通電極２２と、電気泳動表示インク２３と、画素スイッチング用トランジスタ２４と、保持容量２５と、を備えている。画素スイッチング用トランジスタ２４は、例えばＴＦＴ（Ｔｈｉｎ  Ｆｉｌｍ  Ｔｒａｎｓｉｓｔｏｒ）で構成することができる。画素スイッチング用トランジスタ２４のゲートは、対応する行の走査線（Ｙ１，Ｙ２，…Ｙｍ）に電気的に接続されている。画素スイッチング用トランジスタ２４のソースは、対応する列のデータ線（Ｘ１，Ｘ２，…Ｘｎ）に電気的に接続されている。また、画素スイッチング用トランジスタ２４のドレインは、画素電極２１及び保持容量２５に電気的に接続されている。画素スイッチング用トランジスタ２４は、データ線駆動回路３からデータ線（Ｘ１，Ｘ２，…Ｘｎ）を介して供給される画素信号を、走査線駆動回路４から対応する行の走査線（Ｙ１，Ｙ２，…Ｙｍ）を介して供給される走査信号に応じたタイミングで、画素電極２１及び保持容量２５に出力する。
【００２９】
画素電極２１には、データ線駆動回路３からデータ線（Ｘ１，Ｘ２，…Ｘｎ）及び画素スイッチング用トランジスタ２４を介して、画素信号が供給される。画素電極２１は、電気泳動表示インク２３を介して共通電極２２と互いに対向して配置されている。共通電極２２は、共通電位Ｖｃｏｍが供給される共通電位線１１に電気的に接続されている。
【００３０】
電気泳動表示インク２３は、少なくとも１種類の電気泳動粒子が分散された液状体であり、電極間に図示しない封止材にて漏れ出さないように保持されている。
【００３１】
保持容量２５は、誘電体膜を介して対向配置された一対の電極からなり、一方の電極が画素電極２１及び画素スイッチング用トランジスタ２４に電気的に接続され、他方の電極が共通電位線１１に電気的に接続されている。例えば、保持容量２５は、１回の選択で表示画素２０の電極間に生じる駆動電圧がオフした後も電気泳動粒子を所定期間よりも長い時間に亘り駆動電圧に応じた方向へ移動させ続ける電荷を蓄積可能な容量サイズを有する。
【００３２】
次に、電気泳動表示装置１の表示部２の具体的な構成について、図３に基づいて説明する。図３は、電気泳動表示装置１における表示部２の部分断面図である。図３に示すように、表示部２は、素子基板２８と、対向基板２９とが、図示しないスペーサを介して対向配置され、基板間に電気泳動表示インク２３が封入された構成となっている。なお、本実施の形態では、対向基板２９側に画像を表示することを前提として説明する。
【００３３】
素子基板２８は、例えば、ガラス又はプラスチック等からなる基板である。素子基板２８上には、ここでは図示を省略するが、図２を参照して上述した画素スイッチング用トランジスタ２４、保持容量２５、走査線（Ｙ１，Ｙ２，…Ｙｍ）、データ線（Ｘ１，Ｘ２，…Ｘｎ）、共通電位線１１などが作り込まれた積層構造が形成されている。この積層構造の上層側に、複数の画素電極２１がマトリクス状に設けられている。
【００３４】
対向基板２９は、例えば、ガラス又はプラスチック等からなる光透過性の基板である。対向基板２９における素子基板２８との対向面上には、共通電極２２が、複数の画素電極２１と対向して形成されている。共通電極２２は、例えば、マグネシウム銀（ＭｇＡｇ）、インジウムスズ酸化物（ＩＴＯ）、インジウム亜鉛酸化物（ＩＺＯ）などの透明導電材料から形成されている。
【００３５】
電気泳動表示インク２３は、少なくとも正又は負に帯電した第１の色を有する電気泳動粒子とそれとコントラスト表示可能となるような第２の色に着色された分散媒とからなる構成、又は少なくとも正又は負に帯電した第１の色を有する第１の電気泳動粒子と、第１の電気泳動粒子とは異なる帯電特性を有し、第１の色とコントラスト表示可能となるような第２の色を有する第２の電気泳動粒子と、分散媒と、からなる構成としてもよい。本実施の形態では、正に帯電した黒色粒子８３と、負に帯電した白色粒子８２と、これらの黒色粒子８３及び白色粒子８２を分散させる分散媒８１と、からなる構成を適用するが、これに限定されるものではない。すなわち、白色、黒色の粒子をコントラスト表示可能な範囲で任意に選択することにより、例えば、赤色、緑色、青色などの粒子に変えることによって、表示部２の表示面を赤色表示、緑色表示、青色表示などにすることができるものである。
【００３６】
画素電極２１と共通電極２２との間に、相対的に共通電極２２の電位が高くなるように電圧が印加された場合には、正に帯電した黒色粒子８３は、クーロン力によって画素電極２１側に引き寄せられるとともに、負に帯電した白色粒子８２は、クーロン力によって共通電極２２側に引き寄せられる。この結果、表示面側（共通電極２２側）には、白色粒子８２が集まり、表示部２の表示面は白色表示となる。一方、画素電極２１と共通電極２２との間に、相対的に画素電極２１の電位が高くなるように（相対的に共通電極２２の電位が低くなるように）電圧が印加された場合には、正に帯電した黒色粒子８３は、クーロン力によって共通電極２２側に引き寄せられるとともに、負に帯電した白色粒子８２は、クーロン力によって画素電極２１側に引き寄せられる。この結果、表示面側（共通電極２２側）には、黒色粒子８３が集まり、表示部２の表示面は黒色表示となる。
【００３７】
次に、以上のように構成された電気泳動表示装置１における駆動動作について説明する。階調画像を電気泳動表示装置１に表示させる駆動動作は、上述した消去駆動ステップ、全画素同一表示駆動ステップ、及び階調表示駆動ステップに分割されてもよい。以下、消去駆動ステップ、全画素同一表示駆動及び階調表示駆動ステップについて、順番に説明する。
【００３８】
まず、消去駆動ステップについて説明する。
画素電極２１と共通電極２２の近傍に存在する粒子（白色粒子８２，黒色粒子８３）は、書換え時間間隔等の条件によっては、それぞれの電極（画素電極２１、共通電極２２）に固着する凝集が起こる。この状態においても、電極近傍領域（第１層）より内側に存在する領域（第２層）以降に存在する粒子（白色粒子８２，黒色粒子８３）は、駆動電圧によって泳動することができる。泳動可能な粒子をそれぞれ極性が異なる反対側の電極（画素電極２１、共通電極２２）に確実に到達させることができれば、この反対側の電極に到達した粒子が当該反対側の電極に固着している粒子に激しく衝突し、凝集状態をほぐすように作用する。本実施の形態は、泳動可能な粒子をそれぞれ極性が異なる反対側の電極（画素電極２１、共通電極２２）に確実に到達させることができる、電圧時間積分値を持つ一つの残像消去パルス又は複数の残像消去パルスからなる消去パルス（最小駆動波形と最大駆動波形）を提供する。このような電圧時間積分値を持つ消去パルス（最小駆動波形と最大駆動波形）が適用された消去駆動を、消去パルスの極性を変えて１回又は複数回繰り返すことで、電極表面に固着している粒子をすべて引き離すことができる。この結果、本実施の形態の消去駆動を適用すれば、次画像に現画像が映り込む残像現象が解決することができる。
【００３９】
泳動可能な粒子（白色粒子８２，黒色粒子８３）をそれぞれ極性が異なる反対側の電極（画素電極２１、共通電極２２）に確実に到達させることができる、電圧時間積分値を持つ消去パルス（１つ又は複数の分割された残像消去パルス）のうち最小パルスについて説明する。
【００４０】
本実施の形態では、一方の極限色表示状態から他方の極限色表示状態へ切り替える極性の駆動電圧Ｖ１を印加した時に、表示色変化が１０％完了するのに要する時間をＴ１として、駆動電圧Ｖ１を時間Ｔ１で積分した値（Ｔ１×Ｖ１）に相当する電圧時間積分値Ｅ１を、泳動可能な粒子をそれぞれ極性が異なる反対側の電極（画素電極２１、共通電極２２）に確実に到達させることができる、電圧時間積分値の最小値と規定する。表示色が少なくとも１０％変化していれば、複数の粒子が反対側電極に到着していると推測される。したがって、電圧時間積分値Ｅ１よりも大きな電圧時間積分値で消去駆動すれば、泳動可能な粒子（８２，８３）が反対側電極に固着している粒子に衝突してほぐす効果が発現する。
【００４１】
図４Ａは、表示部２の表示面を黒色表示から白色表示に変化させる際に、表示色変化を１０％完了させるのに必要とされる電圧時間積分値の概念図であり、図４Ｂは、表示部２の表示面を白色表示から黒色表示に変化させる際に、表示色変化を１０％完了させるのに必要とされる電圧時間積分値の概念図である。
【００４２】
図４Ａに示すように、黒色表示から白色表示に変化させる方向に表示色変化を１０％完了させるのに必要とされる電圧時間積分値Ｅ１−１は、印加電圧Ｖ１を時間Ｔ１−１で積分した値[Ｖ１×（Ｔ１−１）]で定義される。また、逆方向の表示色変化については、図４Ｂに示すように、白色表示から黒色表示に変化させる方向に表示色変化を１０％完了させるのに必要とされる電圧時間積分値Ｅ１−２は、印加電圧Ｖ１を時間Ｔ１−２で積分した値[Ｖ１×（Ｔ１−２）]で定義される。
【００４３】
図４Ａ及び図４Ｂに示すように、黒色表示から白色表示に変化させる場合と、白色表示から黒色表示に変化させる場合では、表示色変化を１０％完了する時間が異なる。
【００４４】
ここで、駆動電圧の印加時間と表示変化との関係について説明する。図７は、駆動電圧印加時間と表示色変化の割合との関係を示すグラフである。図７に示すように、表示部２の表示面を黒色表示から白色表示に変化させる場合（Ｂ→Ｗ）、表示色変化を１０％完了させるのに必要とされる駆動電圧印加時間はＴ１−１であるのに対して、表示面を白色表示から黒色表示に変化させる場合（Ｗ→Ｂ）、表示色変化を１０％完了させるのに必要とされる駆動電圧印加時間はＴ１−２である。このように両者の間では表示色変化を１０％完了させるのに要する時間が相違している（Ｔ１−２＞Ｔ１−１）。
【００４５】
よって、図４Ａに示す電圧時間積分値Ｅ１−１[Ｖ１×（Ｔ１−１）］と、図４Ｂに示す電圧時間積分値Ｅ１−２［Ｖ１×（Ｔ１−２）］とは異なっている（Ｅ１−２＞Ｅ１−１）。
【００４６】
なお、図４Ａ、図４Ｂに示すように表示部２の表示面を黒色表示から白色表示に変化させる際（Ｂ→Ｗ）の駆動電圧と、表示部２の表示面を白色表示から黒色表示に変化させる際（Ｗ→Ｂ）の駆動電圧とは逆極性であるが絶対値としては同じＶ１に固定している。
【００４７】
次に、泳動可能な粒子（白色粒子８２，黒色粒子８３）をそれぞれ極性が異なる反対側の電極（画素電極２１、共通電極２２）に確実に到達させることができる、電圧時間積分値を持つ消去パルス（１又は複数の分割された残像消去パルス）のうち最大パルスについて説明する。
【００４８】
一方の極限色表示状態から他方の極限色表示へ切り替える極性の駆動電圧Ｖ１を印加して、表示色変化が９５％完了していれば、極限色を切り替えるのに必要な相当数の電気泳動粒子（８２，８３）が反対側電極に到達したことになる。しかしながら、消去駆動の電圧時間積分値が大きすぎると、現在固着している粒子を衝突によってほぐす効果が高まると同時に、現在電気泳動して衝突している粒子が電極に押し付けられて凝集する可能性が高まる。
【００４９】
本発明者は、一方の極限色表示状態から他方の極限色表示状態へ切り替える極性の駆動電圧Ｖ１を印加した時に、表示色変化が９５％完了するのに要する時間を極限色表示時間Ｔ２とし、電圧Ｖ１と時間Ｔ２による電圧時間積分値の３倍に相当する電圧時間積分値Ｅ２（Ｖ１×Ｔ２×３）よりも小さな電圧時間積分値で消去駆動すれば、電気泳動粒子（８２，８３）が反対側電極に固着している粒子に衝突してほぐすのに十分な効果が発現し、かつ現在電気泳動している粒子が反対側電極に押し付けられて凝集することも防止できることを見出した。
【００５０】
本実施の形態では、極限色表示時間Ｔ２を指標として定義される電圧時間積分値Ｅ２（Ｖ１×Ｔ２×３）を、反対側電極に固着している粒子を確実にほぐし、かつ、再凝集を回避できる、電圧時間積分値の最大値として規定する。したがって、消去パルスのパルス幅（印加時間）を極限色表示時間Ｔ２の３倍以内に設定すれば、反対側電極に衝突した粒子が当該電極に押し付けられて凝集する現象を抑制することができる。
【００５１】
図７に示すように、表示部２の表示面を黒色表示から白色表示に変化させる際（Ｂ→Ｗ）、表示色変化を９５％完了させるのに必要とされる駆動電圧印加時間は極限色表示時間Ｔ２−１であり、黒色表示から白色表示に変化させる最大パルスの電圧時間積分値Ｅ２−１は、時間Ｔ２−１×駆動電圧Ｖ１×３で計算される。また、表示部２の表示面を白色表示から黒色表示に変化させる際（Ｗ→Ｂ）、表示色変化を９５％完了させるのに必要とされる駆動電圧印加時間は極限色表示時間Ｔ２−２であり、白色表示から黒色表示に変化させる最大パルスの電圧時間積分値Ｅ２−２は、時間Ｔ２−２×駆動電圧Ｖ１×３で計算される。電圧時間積分値Ｅ２−１と電圧時間積分値Ｅ２−２は一致していない（Ｅ２−２＞Ｅ２−１）。
【００５２】
図４Ａには、表示部２の表示面を黒色表示から白色表示に変化させる際（Ｂ→Ｗ）に、表示色変化を９５％完了させるのに必要とされる電圧時間積分値Ｅ３[Ｖ１×（Ｔ２−１）]を３倍した電圧時間積分値Ｅ２−１が示され、図４Ｂには、表示部２の表示面を白色表示から黒色表示に変化させる際（Ｗ→Ｂ）に、表示色変化を９５％完了させるのに必要とされる電圧時間積分値Ｅ４[（Ｖ１×（Ｔ２−２）]を３倍した電圧時間積分値Ｅ２−２が示されている。なお、図４Ｃ、図４Ｄに示す各極限色表示時間（Ｔ２−１，Ｔ２−２）及び、図４Ａ、図４Ｂに示す各電圧印加駆動時間（Ｔ１−１，Ｔ１−２）のそれぞれの長さ比率は、図７と異なるが、あくまでも図４は概念図であり正確な時間長さを示すものではない。すなわち図４及び図７に示す各時間（Ｔ１−１，Ｔ１−２，Ｔ２−１，Ｔ２−２）はそれぞれの図において同じものを示している。
【００５３】
ここで、図７に示した最小パルスの印加時間と極限色表示時間の算出方法について説明する。極限色表示した電気泳動表示装置をもう一方の極限色に書き換えるのに用いる電圧を全走査線一括選択方式により印加する。全走査線一括選択方式については、図８を用いて後で詳述する。
【００５４】
このとき、もう一方の極限色に変化する電圧変化の過程をフォトダイオードで捉える。そして、電気泳動表示装置の表示色変化率が１０％及び９５％となるポイントを算出し、それらをそれぞれ、駆動電圧印加時間（Ｔ１−１，Ｔ１−２）及び極限色表示時間（Ｔ２−１，Ｔ２−２）とする。
【００５５】
本実施の形態では、消去駆動ステップにて印加される消去パルスを、上記した最小パルスと最大パルスの電圧時間積分値の間となるように調整する。
【００５６】
図５は、以上のような電圧時間積分値に調整された消去パルスを生成し、その電圧極性を交互に変えて印加する駆動波形を示す。１つの残像消去パルスからなる消去パルスＰ１と、消去パルスＰ１とは逆極性の１つの残像消去パルスからなる消去パルスＰ２とを組み合わせた駆動波形が示されている。
【００５７】
消去パルスＰ１の電圧時間積分値Ｅａは、駆動電圧（Ｖａ−Ｖｍｉｄ）を時間Ｔａで積分した値で示され、消去パルスＰ２の電圧時間積分値Ｅｂは、駆動電圧（Ｖｍｉｄ−Ｖｂ）の絶対値を時間Ｔｂで積分した値で示される。
【００５８】
そして、電圧時間積分値（Ｅａ，Ｅｂ）は、最小パルスの電圧時間積分値Ｅ１（Ｖ１×Ｔ１）よりも大きく、最大パルスの電圧時間積分値Ｅ２（Ｖ１×Ｔ２）よりも小さい。
【００５９】
図５に示す消去パルスＰ１だけを、あるいは消去パルスＰ２だけを印加することもできるが、本実施の形態では、図５に示す駆動波形（消去パルスＰ１と消去パルスＰ２との組み合わせ）を１セットとし、１セット又は複数セットを連続して印加する。消去パルス（Ｐ１，Ｐ２）の電圧時間積分値（Ｅａ，Ｅｂ）を小さくすることで、すなわち電圧時間積分値Ｅ１に近づけることで、残像を消去するのに必要な最小限の電圧時間積分値に調整（駆動回数の調整）することが可能になる。また、消去パルス（Ｐ１，Ｐ２）の電圧時間積分値（Ｅａ，Ｅｂ）を大きくすることで、すなわち電圧時間積分値Ｅ２に近づけることで、少ない往復回数で残像現象を防ぐことができる。
【００６０】
また、図６に示すように、消去パルスＰ１、Ｐ２を、複数の残像消去パルスで構成してもよい。図６は、消去パルスが、休止時間を挟んで分割された複数の残像消去パルスからなる状態を説明するための説明図である。
【００６１】
図６に示すように、消去パルスＰ１は、同一パルス幅の３つの残像消去パルスＰ１−ｃ、Ｐ１−ｄ、Ｐ１−ｅに分割されている。なお、各残像消去パルスＰ１−ｃ、Ｐ１−ｄ、Ｐ１−ｅの間には所定の休止時間Ｔｈ、Ｔｉが設けられている。これら休止時間Ｔｈ、Ｔｉがそれぞれ同じ時間であってもよいし異なる時間であってもよい。ここで、休止時間とは、走査線駆動回路４から供給される走査信号によって画素スイッチング用トランジスタ２４がＯＮしていない期間である。休止時間内であっても保持容量Ｃｓから粒子に対して駆動電圧が印加される可能性がある。
【００６２】
また、消去パルスＰ２は、２つの残像消去パルスＰ２−ｆ、Ｐ２−ｇに分割されている。残像消去パルスＰ２−ｆ、Ｐ２−ｇの間には所定の休止時間Ｔｊが設けられている。前半の残像消去パルスＰ２−ｆの駆動電圧印加時間Ｔｆと、後半の残像消去パルスＰ２−ｇの駆動電圧印加時間Ｔｇは異なっている。したがって、残像消去パルスＰ２−ｆの電圧時間積分値と、残像消去パルスＰ２−ｇの電圧時間積分値は異なる値になっている。あるいは、各残像消去パルスの駆動電圧印加時間を同じにし、各残像消去パルスの電圧時間積分値を同じ値に設定してもよい。
【００６３】
図６に示すように消去パルスＰ１は、３つの残像消去パルスＰ１−ｃ、Ｐ１−ｄ、Ｐ１−ｅにて構成され、消去パルスＰ２は、２つの残像消去パルスＰ２−ｆ、Ｐ２−ｇにて構成されるが、逆極性となる消去パルスＰ１と消去パルスＰ２とで残像消去パルスの数を同数にすることもできる。また各休止時間Ｔｈ、Ｔｉ、Ｔｊを同じ時間に設定してもよいし、異なる時間に設定してもよい。
【００６４】
以上のように本実施の形態では、消去駆動ステップにおいて、消去パルスＰ１、Ｐ２は、１つ又は複数の残像消去パルスで構成されており、表示色変化を１０％完了させるのに必要な電圧時間積分値Ｅ１よりも大きな電圧時間積分値Ｅａ、Ｅｂを有していることを特徴とする。また、表示色変化を９５％完了させるのに必要な電圧時間積分値の３倍に相当する電圧時間積分値Ｅ２よりも小さい電圧時間積分値Ｅａ、Ｅｂを有している。
【００６５】
本実施の形態の消去駆動ステップによれば、複数の電気泳動粒子（８２，８３）が反対側の電極（画素電極２１、共通電極２２）に到達し、このとき電極に固着している電気泳動粒子（８２，８３）をほぐす効果が発現される。この消去駆動の実施により次画像に対する現画像の映り込みを抑制して表示性能を向上させることが可能となる。
【００６６】
本実施の形態では、消去パルスＰ１、Ｐ２の電圧時間積分値Ｅａ、Ｅｂを、表示色変化を５０％完了させるのに必要な電圧時間積分値よりも大きい値とすることが好ましい。また消去パルスＰ１、Ｐ２の電圧時間積分値Ｅａ、Ｅｂを、表示色変化を９５％（極限色表示）完了させるのに必要な電圧時間積分値（Ｅ３，Ｅ４）よりも大きい値とすることがより好ましい。これにより少ない駆動回数で残像現象を防ぐことができる。
【００６７】
また、表示色変化を９５％完了させるのに必要な電圧時間積分値の２倍に相当する電圧時間積分値（＝Ｖ１×Ｔ２×２）よりも小さな値に設定することが好ましい。これにより、その後に印加する画像表示のための階調パルスの狂いを抑制し、階調が全体的に全画素同一表示にて表示した色味に寄る傾向を抑制することができる。
【００６８】
また本実施の形態では、消去駆動ステップにおいて、図５に示すように、消去パルスを、電圧の極性を変えて印加することが好ましい。また図５に示すように、極性の異なる消去パルスＰ１、Ｐ２を１セットとしたとき、このセットを複数回、印加することが好適である。これにより、現在固着している電気泳動粒子を衝突によってほぐす効果をより高めることができる。
【００６９】
また本実施の形態では、図６に示すように、消去パルスを複数の残像消去パルスにて構成することができる。
【００７０】
ところで、図６に示すように各残像消去パルスの間には休止時間が設けられているが、各休止時間では、その休止時間よりも前に印加された残像消去パルスにて充電された保持容量２５が放電されるため、休止時間であっても、電気泳動粒子を移動させる駆動電圧が印加され続ける。このため、消去パルスの電圧時間積分値の計算には、休止期間における電圧の時間積分値も加味されることが望ましい。例えば、図６に示す休止時間Ｔｈでは、その休止時間Ｔｈよりも前に印加された残像消去パルスＰ１−ｃにて充電された保持容量２５が放電され、粒子に対して駆動電圧として作用する。また、電気泳動表示インクの静電容量についても、休止期間であっても電気泳動粒子を移動させる電圧時間積分値となる。このため、消去パルスの電圧時間積分値の計算には、休止期間における電気泳動表示インクの静電容量も加味することが望ましい。電気泳動表示インクの静電容量及び各画素に付随している保持容量２５によって電気泳動表示インクに印加される電圧時間積分値を計算することで、省電力化を図ることができる。
【００７１】
本実施の形態では、保持容量２５や電気泳動表示インクの静電容量を考慮して残像を消去するために最適な電圧時間積分値を算出し、この算出した電圧時間積分値に基づいて消去パルスＰ１、Ｐ２を構成する残像消去パルスを生成する。
【００７２】
ここで、図６において消去パルスＰ１を構成する複数の残像消去パルスＰ１−ｃ、Ｐ１−ｄ、Ｐ１−ｅの電圧（Ｖａ−Ｖｍｉｄ）をＶ１としたとき、各残像消去パルスＰ１−ｃ、Ｐ１−ｄ、Ｐ１−ｅの駆動電圧印加時間Ｔｃ、Ｔｄ、Ｔｅを加算した時間（Ｔｃ＋Ｔｄ＋Ｔｅ）は、Ｔ１−１＜（Ｔｃ＋Ｔｄ＋Ｔｅ）＜Ｔ２−１に設定されることが好ましい。また、図６において消去パルスＰ２を構成する複数の残像消去パルスＰ２−ｆ、Ｐ２−ｇの電圧（Ｖｂ−Ｖｍｉｄ）の絶対値をＶ１としたとき、各残像消去パルスＰ２−ｆ、Ｐ２−ｇの駆動電圧印加時間Ｔｆ、Ｔｇを加算した時間（Ｔｆ＋Ｔｇ）は、Ｔ１−２＜（Ｔｃ＋Ｔｄ＋Ｔｅ）＜Ｔ２−２に設定されることが好ましい。
【００７３】
図８は、全走査線を同時に選択して消去パルスを一括で印加した状態を説明するための説明図である。
【００７４】
図８に示すように、共通電極電位は中間電圧Ｖｍｉｄであり、中間電圧Ｖｍｉｄを０Ｖとして説明する。各画素電極２１には、データ線駆動回路３からデータ線（Ｘ１，Ｘ２，…Ｘｎ）及び画素スイッチング用トランジスタ２４を介して、画素信号が供給されるが、そのときの画素電極電位が低電位Ｖｂ（中間電位Ｖｍｉｎよりも低い電位）とされている。
【００７５】
走査線駆動回路４からは、表示部２に矩形波のパルス信号からなる走査信号（オン電位）が供給される。
【００７６】
図８には走査線Ｙ１の電位と走査線Ｙｍの電位が示されているが、その間の走査線Ｙ２電位〜走査線Ｙｍ−１電位の印加タイミングは走査線Ｙ１電位及び走査線Ｙｍ電位と同じタイミングである。このように、全走査線を同時に選択して消去パルスを一括で印加する。各表示画素２０に印加される消去パルスの電圧時間積分値は、電圧（Ｖｂ−Ｖｍｉｄ）（絶対値）×時間ＴＫで示され、この電圧時間積分値が各表示画素２０に同時に印加されることになる。
【００７７】
また、図９に示すように、消去パルスＰ１，Ｐ２を複数の残像消去パルスで構成した場合、全走査線を同時に選択して、各残像消去パルスをそれぞれのタイミングで一括印加する。図９のタイミングチャートでは、図８と同様に、共通電極電位及び画素電極電位が同じとされている。
【００７８】
図１０は、走査線を順次選択するスキャン方式により、一つの残像消去パルスからなる消去パルスを印加するタイミングチャートである。共通電極電位を中間電圧Ｖｍｉｄとし、画素電極電位を低電位Ｖｂ（中間電位Ｖｍｉｎよりも低い電位）として、走査線Ｙ１からＹｍを順番に選択して走査信号を印加していく。スキャン回数は現画像の階調に応じて決定する。
【００７９】
図１１は、走査線を順次選択してスキャン方式により、複数の残像消去パルスからなる消去パルスを印加するタイミングチャートである。図１１に示すように、同一走査線に印加される隣接残像消去パルス間の休止時間Ｔｌは、１スキャン間隔（１フレーム期間）以上に設定してもよい。たとえば、走査線Ｙ１に関して、先の残像消去パルスＰ１-ｃの印加タイミングから、次の残像消去パルスＰ１-ｄの印加タイミングまでの時間を、全走査線Ｙ１〜Ｙｍを順番にスキャンするのに要する時間Ｔｍ（１フレーム期間）以上に設定する。隣接する残像消去パルス間の休止時間Ｔｌを、スキャン間隔Ｔｍ以上とすることで、保持容量Ｃｓの放電による電圧時間積分値を有効に活用することができる。
【００８０】
なお、本実施の形態における残像消去駆動は、後述するコモン振りを同時に適用して全走査線同時選択又は走査線順次選択を実施してもよい。
【００８１】
また、現画像を閾値階調で分けて二値化し、いずれかの極限色に近い方の二値化画像に対するネガ画像に基づいた消去パルスをはじめに印加することが好ましい。すなわち、現画像を閾値階調で分けて二値化したとき、白色の極限色に近いと判断されると、黒色画像（ネガ画像）へ切り替えるための消去パルスをはじめに印加する。これにより、最初の消去駆動にて白色側の電極に固着しているより多くの電気泳動粒子を反対側電極（黒色側）へ移動させるので、同じ均一度を実現するのであれば、１回分は駆動回数を削減できる可能性がある。
【００８２】
上記した消去駆動ステップの次に、全画素同一表示駆動ステップを行う。電気泳動表示装置１における全画素同一表示駆動ステップについて説明する。全画素同一表示駆動ステップでは、共通電極２２の印加電圧を変化させるコモン振りを行って電気泳動表示装置の画素を一旦全て同一の表示状態にできる駆動方法について説明するが、コモン振りを行うことは本発明では必須事項ではない。
【００８３】
全画素同一表示駆動ステップにおいては、共通電極２２に印加される共通電位Ｖｃｏｍを変化させるコモン振りが適用され、全ての表示画素２０が同一の表示状態に設定される。例えば、全画素同一表示駆動ステップにおいては、共通電極２２を画素電極２１に対して高電位に設定して全ての表示画素２０を第１の表示状態（例えば、全白状態）に変化させる第１の印加動作、もしくは共通電極２２を画素電極２１に対して低電位に設定して全ての表示画素２０を第２の表示状態（例えば、全黒状態）に変化させる第２の印加動作（以下、上記のような駆動方式を「パルス方式」と呼ぶ。）の少なくともどちらか一方の動作によって全画素を同一の表示状態とする。
【００８４】
このように、全画素同一表示駆動ステップにコモン振りを適用することにより、画素電極２１と共通電極２２との間に大きな電位差を確保でき、各表示画素２０（より具体的には、画素電極２１と共通電極２２との電極間）に大きな駆動電圧を印加できる。これにより、電気泳動表示インク２３内の電気泳動粒子（白色粒子８２、黒色粒子８３）に、より大きな運動エネルギーを与えることができる。この結果、電気泳動粒子を効率よく表示面側や背面側に移動させることができ、また、白及び黒の電気泳動粒子をきれいに分離することが可能となり、白黒のコントラストや反射率などの表示性能の向上が図られる。
【００８５】
全画素同一表示駆動ステップにコモン振りを適用することで得られる作用をより効果的に得るために、パルス方式の印加動作は１回だけではなく、前記第１の印加動作を複数回繰り返すことや、前記第２の印加動作を複数回繰り返し行っても良い。また、第１の印加動作と第２の印加動作を交互に連続して行う一連の動作（セット）として、そのセットを１回又は複数回繰り返し行う方式（以下、「スイングパルス方式」と呼ぶ。）を用いても良い。なお、スイングパルス方式にて行われる第１の印加動作と第２の印加動作は、その回数がそれぞれ異なっていてもよい。
【００８６】
本実施の形態に係る電気泳動表示装置１においては、全画素同一表示駆動ステップに適用されるコモン振りとして、例えば、全ての走査線Ｙ１〜Ｙｍに対して同時に走査信号を供給して全ての表示画素２０に同時に駆動電圧を印加する方式（全走査線同時選択によるパルス方式、及び全走査線同時選択によるスイングパルス方式）と、各走査線Ｙ１〜Ｙｍに対して順次に走査信号を供給して全ての表示画素２０に駆動電圧を順番に印加する方式（走査線順次選択によるパルス方式、及び走査線順選択によるスイングパルス方式）と、を選択できる。
【００８７】
たとえば、図１２は、本実施の形態に係る電気泳動表示装置１における全走査線同時選択によるパルス方式によるコモン振りを用いた全画素同一表示駆動ステップの説明図である。コモン振りにおいて、画素電極２１及び共通電極２２に印加される高電位の電圧Ｖａとして１５Ｖを用いる一方、低電位の電圧Ｖｂとして−１５Ｖを用い、これらの中間電圧Ｖｍｉｄとして０Ｖを用いて説明する。
【００８８】
図１２に示すように、全走査線同時選択によるパルス方式を用いたコモン振りにおいては、共通電極２２に１５Ｖの電圧Ｖａが印加され、画素電極２１に−１５Ｖの電圧Ｖｂが印加される。また、全ての走査線Ｙ１〜Ｙｍに対して同時に走査信号（オン電位）が供給される。これにより、各表示画素２０の電気泳動表示インク２３には、Ｖａ−Ｖｂの駆動電圧（すなわち、３０Ｖ）が印加される。
【００８９】
図１２に示すインクにかかる電圧の点線部は全画素同一表示駆動ステップを終えた後の電圧波形を示しているが、本発明においては、上記のコモン振りが適用される全画素同一表示駆動ステップが行われた後、各表示画素２０を用いて階調画像を表示させる諧調表示動作に移行する。
【００９０】
次に、電気泳動表示装置１における階調表示駆動ステップについて説明する。階調表示駆動ステップにおいては、共通電極２２の電位を、コモン振りで印加された電圧Ｖａ、Ｖｂの中間電位Ｖｍｉｄに固定した状態にて、複数のデータ線Ｘ１〜Ｘｎに表示画像に対応した画素信号を印加すると共に、複数の走査線Ｙ１〜Ｙｍを所定パターンで選択することにより、対象となる表示画素２０が印加回数に応じて所望の階調に調整される。さらに、階調表示駆動ステップにおいては少なくとも最後の走査後に前記画素電極をハイインピーダンス状態とし、各画素は所望の階調を得た時点で階調表示駆動ステップを終了する。
【００９１】
電気泳動表示装置１における階調表示駆動ステップにおいては、全画素同一表示駆動ステップと異なり、共通電極２２に印加される電位を切り替えることなく、中間電位Ｖｍｉｄに固定した状態で各画素電極２１に対する駆動が制御される。一般に各表示画素２０における階調表現においては、電気泳動表示インク２３に印加される電位差が大きいほど１回の駆動制御で変化する階調度（色味）が大きくなる。このため、上述した全画素同一表示駆動ステップのようにコモン振りを行う場合には、電気泳動表示インク２３に印加される電位差が大きくなり、階調表示制御には必ずしも適さない。このため、階調表示駆動ステップにおいては、中間電位Ｖｍｉｄに固定した状態で各画素電極２１に対する駆動を制御している。これにより、相対的に小さい電位差により階調表示を調節でき、電気泳動表示装置１における精密な階調表示性能を向上することが可能となる。
【００９２】
本実施の形態に係る電気泳動表示装置１においては、階調表示駆動ステップとして、例えば、階調表示制御対象となる表示画素２０が所望の階調に到達するまで、当該表示画素２０に対応する走査線に走査信号を１フレーム周期で順次供給して表示画素２０を駆動する順次階調駆動方式と、所望の階調を表現するために必要な表示画素２０の駆動回数（走査回数）を、１フレーム又は複数フレームに相当する休止期間で分離されるいくつかのブロックに分け、ブロック単位で階調表示制御対象となる表示画素２０を駆動するブロックスキャン階調駆動方式と、のいずれかを適用する。
【００９３】
以下、順次階調駆動方式を用いた階調表示駆動ステップについて図１３に基づいて説明する。図１３は、順次階調駆動方式を用いた階調表示駆動ステップの説明図である。
【００９４】
図１３に示すように、順次階調駆動方式においては、共通電極２２に印加される電位が中間電位Ｖｍｉｄに固定されると共に、画素電極２１に印加される画素信号及び走査線に供給される走査信号の供給回数（走査回数または駆動回数）によって表示画素２０における階調表示が調節される。対象画素となる特定の表示画素２０を１回走査した場合を考える。すなわち、対象画素となる表示画素２０の画素電極２１に画素信号（例えばＶｂ＝−１５Ｖ）を印加し、共通電極２２に中間電位Ｖｍｉｄ（例えばＶｍｉｄ＝０Ｖ）が印加されていれば、Ｖｂの駆動電圧が表示画素２０に印加される。これは、図１２に示すコモン振りと比較して半分の駆動電圧で表示画素２０が駆動されていることになる。階調表示駆動ステップの中では、コモン振りを適用しないことで（共通電極２２に中間電位Ｖｍｉｄに固定）、全画素同一表示駆動ステップ時の駆動電圧の半分の駆動電圧で階調駆動することができる。小さな駆動電圧を用いて走査回数を調整することで精密な階調表示性能を向上することができる。具体的には、図１３に示すように、階調制御対象となる表示画素２０に対する画素信号及び走査信号の供給が２回で停止された場合、当該表示画素２０の階調は階調Ｃに設定される。また、階調制御対象となる表示画素２０に対する画素信号及び走査信号の供給が５回で停止された場合、当該表示画素２０の階調は階調Ｂに設定される。さらに、階調制御対象となる表示画素２０に対する画素信号及び走査信号の供給が７回で停止された場合、当該表示画素２０の階調は階調Ａに設定される。なお、表示画素２０の階調が階調Ｃ、Ｂに設定される場合、それぞれ３回目、６回目以降の画素信号電位はＶｍｉｄもしくはハイインピーダンス状態となるが、図１３においては、説明の便宜上、画素信号及び走査信号が７回供給される場合について示している。なお、ハイインピーダンス状態については後述する。
【００９５】
順次階調駆動方式においては、階調制御対象となる表示画素２０に対する走査回数（画素信号及び走査信号の同時印加回数又は階調駆動回数ということもできる）を調節することで、当該表示画素２０における階調表示が調節される。この図では全画素同一表示駆動ステップにおいて全画素を白にした場合について説明しているので、走査回数が多いほど表示画素２０における濃度を濃く表現でき、走査回数が少ないほど表示画素２０における濃度を薄く表現できる。図１３に示す例では、２回の走査回数（画素信号及び走査信号の同時印加）により設定される階調Ｃの濃度が最も薄く、５回の走査回数（画素信号及び走査信号の同時印加）により設定される階調Ａの濃度が最も濃くなる。
【００９６】
図１３に示す順次階調駆動方式においては、階調制御対象となる表示画素２０に対して画素信号及び走査信号を連続して供給し、その供給回数を調節することで当該表示画素２０における階調表示を調節する。これに対し、ブロックスキャン階調駆動方式においては、所望の階調を表現するために必要な表示画素２０の駆動回数（走査回数）を、１フレーム又は複数フレームに相当する休止期間で分離されるいくつかのブロックに分け、ブロック単位で表示画素２０を駆動する。
【００９７】
以上説明したように、本実施の形態に係る電気泳動表示装置１によれば、消去ステップにおいて、表示色変化が１０％完了するのに要する時間をＴ１として、駆動電圧Ｖ１を時間Ｔ１で積分した値（Ｔ１×Ｖ１）による電圧時間積分値Ｅ１よりも大きな電圧時間積分値で消去駆動するようにしたので、泳動可能な粒子（８２，８３）が反対側電極に固着している粒子に衝突してほぐす効果が発現する。また、表示色変化が９５％完了するのに要する極限色表示時間をＴ２として、電圧Ｖ１と時間Ｔ２による電圧時間積分値の３倍に相当する電圧時間積分値Ｅ２よりも小さな電圧時間積分値で消去駆動するようにしたので、反対側電極に衝突した粒子が当該電極に押し付けられて凝集する現象を抑制することができる。
【００９８】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【００９９】
１  電気泳動表示装置
２  表示部
３  データ線駆動回路
４  走査線駆動回路
５  共通電位供給回路
６  コントローラ
１１  共通電位線
２０  表示画素
２１  画素電極
２２  共通電極
２３  電気泳動表示インク
２４  画素スイッチング用トランジスタ
２５  保持容量
２８  素子基板
２９  対向基板
８１  分散媒
８２  白色粒子
８３  黒色粒子
【図１】
2015082041.tif 000003
【図２】
2015082041.tif 000004
【図３】
2015082041.tif 000005
【図４】
2015082041.tif 000006
【図５】
2015082041.tif 000007
【図６】
2015082041.tif 000008
【図７】
2015082041.tif 000009
【図８】
2015082041.tif 000010
【図９】
2015082041.tif 000011
【図１０】
2015082041.tif 000012
【図１１】
2015082041.tif 000013
【図１２】
2015082041.tif 000014
【図１３】
2015082041.tif 000015